(57)【特許請求の範囲】
【請求項１】
コンポネントキャリアを集積して通信を行う多重キャリア通信システムにおける端末のリンク品質の報告方法において、
多数のコンポネントキャリアのうちの少なくとも１つの活性コンポネントキャリアを介して基地局と通信を行い、前記活性コンポネントキャリアの各々が制御情報のための活性領域とデータ情報のための活性領域とを含むとき、前記活性コンポネントキャリア別に前記制御情報のための活性領域のリンク品質と前記データ情報のための活性領域のリンク品質とをそれぞれ測定する過程と、
前記活性コンポネントキャリア別のリンク品質を前記基地局に報告する過程と、
を含むことを特徴とするリンク品質の報告方法。
【請求項２】
前記測定する過程は、
前記コンポネントキャリアのうちの残りの不活性コンポネントキャリアを制御情報のための不活性領域とデータ情報のための不活性領域とに画成して、前記不活性コンポネントキャリア別に前記制御情報のための不活性領域のリンク品質と前記データ情報のための不活性領域のリンク品質とを測定する過程をさらに含むことを特徴とする請求項１に記載のリンク品質の報告方法。
【請求項３】
前記不活性コンポネントキャリア別のリンク品質を前記基地局に報告する過程をさらに含むことを特徴とする請求項２に記載のリンク品質の報告方法。
【請求項４】
前記不活性領域別のリンク品質の差分がしきい値以下であれば、前記データ情報のための不活性領域のリンク品質を報告する過程をさらに含むことを特徴とする請求項３に記載のリンク品質の報告方法。
【請求項５】
コンポネントキャリアを集積して通信を行う多重キャリア通信システムにおける基地局のキャリアの選択方法において、
活性化させるためのコンポネントキャリアを決める過程と、
前記活性化されたコンポネントキャリアのそれぞれにおける、制御情報のためのリンク品質を予測する過程と、
前記予測されたリンク品質に応じて前記制御情報を伝送するために、前記活性化されたコンポネントキャリアのうちの少なくとも一部のコンポネントキャリアを選択する過程を含み、
前記リンク品質を予測する過程は、端末から前記活性化されたコンポネントキャリア別に前記制御情報のための活性領域のリンク品質とデータ情報のための活性領域のリンク品質とをそれぞれ報告を受ける過程を含むことを特徴とするキャリアの選択方法。
【請求項６】
前記活性化されたコンポネントキャリアを前記端末に報知する過程をさらに含むことを特徴とする請求項５に記載のキャリアの選択方法。
【請求項７】
前記選択されたコンポネントキャリアを前記端末に報知する過程をさらに含むことを特徴とする請求項６に記載のキャリアの選択方法。
【請求項８】
前記選択されたコンポネントキャリアの制御情報のための領域を、データ情報を伝送するために、前記活性化されたコンポネントキャリアのデータ情報のための領域とリンクして、前記選択されたコンポネントキャリアを介してそれぞれにリンクされたコンポネントキャリアを前記端末に報知する過程をさらに含むことを特徴とする請求項６に記載のキャリアの選択方法。
【請求項９】
コンポネントキャリアを集積して通信を行う多重キャリア通信システムにおけるリンク品質の報告装置において、
多数のコンポネントキャリアのうちの少なくとも１つの活性コンポネントキャリアを介して基地局の信号を受信するための受信部において、前記コンポネントキャリアの各々は、制御情報のための活性領域とデータ情報のための活性領域とを含む受信部と、
前記信号の受信時に、前記活性コンポネントキャリア別に前記制御情報のための活性領域のリンク品質と前記データ情報のための活性領域のリンク品質とをそれぞれ測定するためのチャンネル測定部と、
前記チャンネル測定部の制御下に、前記活性コンポネントキャリア別のリンク品質を前記基地局に報告するための送信部と、
を備えることを特徴とするリンク品質の報告装置。
【請求項１０】
前記チャンネル測定部は、
前記コンポネントキャリアのうちの残りの不活性コンポネントキャリアを制御情報のための不活性領域とデータ情報のための不活性領域に画成して、前記不活性コンポネントキャリア別に前記制御情報のための不活性領域のリンク品質と前記データ情報のための不活性領域のリンク品質とを測定することを特徴とする請求項９に記載のリンク品質の報告装置。
【請求項１１】
前記送信部は、
前記不活性領域別のリンク品質の差分がしきい値以下であれば、前記データ情報のための不活性領域のリンク品質を報告することを特徴とする請求項１０に記載のリンク品質の報告装置。
【請求項１２】
コンポネントキャリアを集積して通信を行う多重キャリア通信システムにおけるキャリア選択装置において、
活性化させるためのコンポネントキャリアを決めるための決定部と、
前記活性化されたコンポネントキャリアのそれぞれにおける、制御情報のためのリンク品質を予測するための予測部と、
前記予測されたリンク品質に応じて前記制御情報を伝送するために、前記活性化されたコンポネントキャリアのうちの少なくとも一部のコンポネントキャリアを選択するための選択部を備え、
前記予測部は、端末から前記活性化されたコンポネントキャリア別に前記制御情報のための活性領域のリンク品質とデータ情報のための活性領域のリンク品質とをそれぞれ報告を受けることを特徴とするキャリア選択装置。
【請求項１３】
前記活性化されたコンポネントキャリアを前記端末に報知するための送信部をさらに備えることを特徴とする請求項１２に記載のキャリア選択装置。
【請求項１４】
前記送信部は、
前記選択されたコンポネントキャリアを前記端末に報知することを特徴とする請求項１３に記載のキャリア選択装置。
【請求項１５】
前記送信部は、
前記選択されたコンポネントキャリアの制御情報のための領域を、データ情報を伝送するために、前記活性化されたコンポネントキャリアのデータ情報のための領域とリンクして、前記選択されたコンポネントキャリアを介してそれぞれにリンクされたコンポネントキャリアを前記端末に報知することを特徴とする請求項１３に記載のキャリア選択装置。
【発明の詳細な説明】
【技術分野】
【０００１】
本発明は通信システムとその通信方法に係り、特に、本発明は、多重キャリアを用いてデータの高速転送が行える移動通信方式が適用される多重キャリア通信システムとその適応的なキャリア選択及びリンク品質の報告方法に関する。
【背景技術】
【０００２】
４Ｇ基盤の移動通信は、より高いデータ転送率を提供するために、隣り合う、あるいは、隣り合わない多数のコンポネントキャリア（Ｃｏｍｐｏｎｅｎｔ Ｃａｒｒｉｅｒ 、以下、「ＣＣ」と称することとする）を一つの周波数バンドのように使用可能なキャリア集積方式を４Ｇの主な進化技術として採択している。
【０００３】
同時に、多数のＣＣを介してデータを送受信するためには、用いられるＣＣの数に対応して線形的に、送受信機の構造が複雑になる。すなわち、キャリア集積のためのＣＣの数が増大するにつれて、送受信機の構造は一層複雑になる。このため、特定の 基地局（例えば、発展型ノードＢ；ｅＮＢ）と端末との最大の同時送受信ＣＣの数は、基地局で支援される最大の同時転送ＣＣの数以内であり、端末の性能（キャパビリティー）に応じてそれぞれ異なるように設定される。より効率よいキャリア集積のためには、基地局が支援する全体のＣＣのうち端末好みのＣＣのみを適切に選択してデータ情報を転送する適応的なＣＣ選択技法が必要である。これと同様に、制御情報を転送するにおいても好みのＣＣが存在するため、基地局が端末に制御情報を転送するための適応的なＣＣ選択も併せて考慮さるべきである。
【０００４】
通常の通信システムのデータ情報の転送のためには、チャンネル環境に適応的な変調及びコーディング方式と転送パワーを決める技法が適用される。このために、基地局が端末から全体の資源領域あるいはデータ転送領域のリンク品質の報告を受けている。このため、多数のＣＣを用いてデータを転送するためには、基地局が端末からＣＣ別のリンク品質の報告を受けることが予想される。これにより、基地局が報告されるリンク品質情報を用いて端末にデータ情報の転送のためのＣＣを適応的に選択できるものと期待される。
【０００５】
一方、制御情報の転送のためのＣＣを選択するためには、より慎重なアプローチが必要である。もし、制御情報転送資源領域とデータ情報転送資源領域とが画成される場合には、それぞれのリンク品質が異なる可能性がある。このため、上述のデータ転送のためのリンク品質情報を用いて制御情報転送ＣＣを決める方法は、多くの問題を引き起こす恐れがある。特に、基地局において不適切な制御情報転送ＣＣを選択する場合に、少なくとも一つの端末が制御情報を正しく受信することができず、転送効率が下がるだけではなく、端末の非正常的な動作を誘導して、基地局における当該端末との通信が不可能になる。このような問題を解消するために、単に制御情報転送資源領域のリンク品質情報の報告を端末から受けるなら、基地局にさらなる多くのオーバヘッドを生じてしまう。
【発明の概要】
【発明が解決しようとする課題】
【０００６】
そこで、基地局において制御情報転送ＣＣを正しく選択するための端末のフィードバック方法及び基地局の制御情報転送ＣＣの決定方法が求められている。
【課題を解決するための手段】
【０００７】
本発明は前記課題及び／又は難点を解消し、少なくとも後述する利点を提供するためのものである。このため、本発明の一側面は、多重コンポネントキャリアの効率よいデータ及び制御情報の転送のために、適応的なコンポネントキャリア（ＣＣ）の選択方法とこのためのフィードバック情報の転送方法を提供する。
【０００８】
前記課題を解消するための本発明の一側面は、コンポネントキャリアを集積して通信を行う多重キャリア通信システムにおける端末のリンク品質の報告方法を提供する。該方法は、多数のコンポネントキャリアのうちの少なくとも一部の活性コンポネントキャリアを介して基地局と通信を行うときに、前記活性コンポネントキャリアを制御情報のための活性領域とデータ情報のための活性領域とに画成して、前記活性コンポネントキャリア別にリンク品質を測定する過程と、前記活性コンポネントキャリア別のリンク品質を前記基地局に報告する過程と、を含むことを特徴とする。
【０００９】
また、前記課題を解消するための本発明の他の側面は、コンポネントキャリアを集積して通信を行う多重キャリア通信システムにおける基地局のキャリアの選択方法を提供する。該方法は、活性化させるためのコンポネントキャリアを決める過程と、前記決められたコンポネントキャリアのそれぞれにおける、制御情報のためのリンク品質を予測する過程と、前記予測されたリンク品質に応じて前記制御情報を転送するために、前記決められたコンポネントキャリアのうちの少なくとも一部のコンポネントキャリアを選択する過程を含むことを特徴とする。
【００１０】
さらに、前記課題を解消するための本発明のさらに他の側面は、コンポネントキャリアを集積して通信を行う多重キャリア通信システムにおけるリンク品質の報告装置を提供する。該装置は、多数のコンポネントキャリアのうちの少なくとも一部の活性コンポネントキャリアを介して基地局の信号を受信するための受信部と、前記信号の受信時に、前記活性コンポネントキャリアを制御情報のための活性領域とデータ情報のための活性領域とに画成して、前記活性コンポネントキャリア別のリンク品質を測定するためのチャンネル測定部と、前記チャンネル測定部の制御下に、前記活性コンポネントキャリア別のリンク品質を前記基地局に報告するための送信部と、を備えることを特徴とする。
【００１１】
さらにまた、前記課題を解消するための本発明のさらに他の側面は、コンポネントキャリアを集積して通信を行う多重キャリア通信システムにおけるキャリア選択装置を提供する。該装置は、活性化させるためのコンポネントキャリアを決めるための決定部と、前記決められたコンポネントキャリアのそれぞれにおける、制御情報のためのリンク品質を予測するための予測部と、前記予測されたリンク品質に応じて前記制御情報を転送するために、前記決められたコンポネントキャリアのうちの少なくとも一部のコンポネントキャリアを選択するための選択部を備えることを特徴とする。
【００１２】
他の側面、利点及び発明の核心的な特徴は、付加的な図面と結び付けて本発明の実施形態を記載する下記の詳細な説明から、本発明が属する技術分野における通常の知識を持つ者にとって明らかである。
【発明の効果】
【００１３】
本発明によれば、多重キャリアシステムのキャリア当たりの転送効率を改善し、制御情報の受信不可によるシステムの非正常的な動作を抑えるという効果がある。
【００１４】
前記記載、特徴及び本発明の特定の実施形態の利点は、次の説明及び図面と結び付けることにより一層明らかになる。
【００１５】
図面を通して、参照番号は同じまたは類似の要素、特徴及び構造を描くのに用いられているという点に注意すべきである。
【図面の簡単な説明】
【００１６】
【図１】図１は、本発明の実施形態に係る多重キャリア通信システムにおけるコンポネントキャリアの構造を示す図である。
【図２】図２は、本発明の実施形態に係る多重キャリア通信システムの構成を示す図である。
【図３】図３は、本発明の実施形態に係る多重キャリア通信システムにおける基地局と端末の内部構成を示す図である。
【図４】図４は、本発明の実施形態に係る端末におけるリンク品質報告の手順を示す図である。
【図５】図５は、本発明の実施形態に係る付加的なチャンネル測定情報の構造を示す図である。
【図６】図６は、本発明の実施形態に係る基地局における適応的なキャリア選択の手順を示す図である。
【発明を実施するための形態】
【００１７】
以下の詳細な説明は、添付図面を参照して請求項及びその均等物により定義される本発明の実施形態の総合的な理解への一助となるために提供される。詳細な説明には、理解への一助となるために様々で且つ具体的な説明を含んでいるものの、これらは単に実施形態として見なされる。よって、本発明が属する技術分野における通常の知識を有する者は、発明の範囲及び要旨を曖昧にすることなく、ここで説明している種々の変形と修正が可能であるということが認識できるであろう。なお、公知の機能及び構造についての説明は、明確性及び簡潔性のために省略する。
【００１８】
下記の詳細な説明及び請求項に用いられた用語と単語は辞書的な意味に限定されるものではなく、単に本発明の明確で且つ一貫的な理解への一助となるために用いられるものであってもよい。よって、本発明が属する技術分野における通常の知識を有する者にとって下記の本発明の実施形態の説明が単に説明の目的で提供されたものであり、添付の請求項及びその均等物によって定義される本発明を制限する目的で提供されたものではないということはいうまでもない。
【００１９】
「ａ」、「ａｎ」及び「ｔｈｅ」などの単数の形は、文脈上他の場合を指し示さない限り、複数の指示対象を含むものと理解すべきである。よって、例えば、「一つの構成要素の表面」の参照は、１以上の表面を参照することを含む。
【００２０】
本発明の実施形態は、多数のコンポネントキャリア（ＣＯＭＰＯＮＥＮＴ ＣＡＲＲＩＥＲ；ＣＣ）を介して資源を転送及び受信する多重キャリア通信システムに関する。
【００２１】
図１は、本発明の実施形態に係る多重キャリア通信システムにおけるコンポネントキャリアの構造を示す図である。
【００２２】
図１を参照すると、一つのＣＣの資源は、特定の時間単位であるサブフレームに分けられ、それぞれのサブフレームは、データ転送領域である物理下り共有チャンネル（ＰＤＳＣＨ：Ｐｈｙｓｉｃａｌ Ｄｏｗｎｌｉｎｋ Ｓｈａｒｅｄ Ｃｈａｎｎｅｌ）資源領域と制御情報転送領域である物理下り制御チャンネル（ＰＤＣＣＨ：Ｐｈｙｓｉｃａｌ Ｄｏｗｎｌｉｎｋ Ｃｏｎｔｒｏｌ Ｃｈａｎｎｅｌ）資源領域とに分けられる。
【００２３】
本発明の一実施形態において、端末は各ＣＣ別に次のように二つのリンク品質を測定する。第一に、端末は、ＰＤＣＣＨ資源領域に対するリンク品質（Ｃｈａｎｎｅｌ Ｑｕａｌｉｔｙ（ＣＱ）Ａと称する。）を測定することができる。第二に、端末は、全体或いはＰＤＳＣＨ資源領域に対するリンク品質（ＣＱ Ｂと称する。）を測定することができる。このとき、ＣＱ Ｂを測定するに当たって、端末は、ＰＤＣＣＨ資源領域とＰＤＳＣＨ資源領域を両方とも含む領域に対するリンク品質を測定してもよく、ＰＤＳＣＨ資源領域のリンク品質を測定してもよい。
【００２４】
ここで、リンク品質を測定する方法としては、システムによって種々ある。最も簡単には、リンクの品質を、すなわち、チャンネル状態を測定する方法は、共通して転送されるＲＳ（基準信号：Ｒｅｆｅｒｅｎｃｅ ｓｉｇｎａｌ）を用いることである。 ロング・ターム・エボリューション（ＬＴＥ：Ｌｏｎｇ Ｔｅｒｍ Ｅｖｏｌｕｔｉｏｎ）システムにおいて、ＲＳは、定められた位置に同じ電力にて常に転送される。このようなＲＳを基に受信された信号の大きさを測定し、且つ、干渉量を測定してリンク品質を測定することができる。このとき、干渉量を測定する方法は種々あるが、代表的な方法は、ＲＳが転送される直交波周波数分割多重（ＯＦＤＭ：Ｏｒｔｈｏｇｈｏｎａｌ Ｆｒｅｑｕｅｎｃｙ Ｄｉｖｉｓｉｏｎ Ｍｕｌｔｉｐｌｅｘｉｎｇ）シンボルにおいて受信した全体電力を用いることができる。なお、前記全体の電力からＲＳの受信電力を差し引いた値を用いることができる。しかしながら、本発明はこれに限定されるものではなく、この特許においては、特定の領域内のリンク品質を測定する方法とは無関係に適用可能である。
【００２５】
ここで、基地局は、合計Ｎ個のＣＣを介して多数の端末と通信を行っており、端末は、Ｍ（＜Ｎ）個のＣＣを活性化させ、これを介して基地局とデータの授受を行うことを想定する。このように特定の端末との通信のために活性化したＣＣを「ＤｏｗｎＬｉｎｋ（ＤＬ） Ｃｏｍｐｏｎｅｎｔ Ｃａｒｒｉｅｒ（ＣＣ）ＳＥＴ」と称し、これ以外のＣＣを「非ＤＬ ＣＣ ＳＥＴ」と称する。なお、ＤＬ ＣＣ ＳＥＴのうち資源割り当てに関する制御情報が転送されるＣＣをＰＤＣＣＨ ＣＣ ＳＥＴと称する。このとき、ＤＬ ＣＣ ＳＥＴ及びＰＤＣＣＨ ＣＣ ＳＥＴは端末ごとに異なり、経時的に適応的に動的、半静的或いは静的に変わることが必要である。
【００２６】
図２は、本発明の実施形態に係る多重キャリア通信システムの構成を示す図である。このとき、図２は、端末が移動するにつれて、制御チャンネル転送のためのＣＣの選好度が変わることを示している。
【００２７】
図２を参照すると、本実施形態の多重キャリア通信システムは、基地局１００と、端末２００と、を備える。基地局１００は、多数のＣＣを集積して通信サービスを提供する。端末２００は、多数のＣＣを介して通信サービスを利用する。この実施形態において、ＤＬ ＣＣ ＳＥＴ、ＰＤＣＣＨ ＣＣ ＳＥＴを適応的に選択するために、端末２００は、基地局１００が各種のＣＣを決めるために用いられるリンク品質測定情報を報告し、これを参照して基地局１００がこれを決める。このとき、便宜上、端末２００が基地局１００に報告する情報を活性化ＤＬ ＣＣ ＳＥＴのチャンネル品質情報（ＣＱＩ：Ｃｈａｎｎｅｌ Ｑｕａｌｉｔｙ Ｉｎｆｏｒｍａｔｉｏｎ）（例えば、ＣＱ Ｂ）とその他の情報とに区分した。
【００２８】
図３は、本発明の実施形態に係る多重キャリア通信システムにおける基地局と端末の内部構成を示す図である。
【００２９】
図３を参照すると、本実施形態における基地局１００は、ＤＬ ＣＣ ＳＥＴ決定部１１０と、ＰＤＣＣＨチャンネル予測部１２０と、ＰＤＣＣＨ ＣＣ ＳＥＴ選択部１３０及びＰＤＣＣＨ送信部１４０を備える。ＤＬ ＣＣ ＳＥＴ決定部１１０は、端末２００から報告される情報を参照してＤＬ ＣＣ ＳＥＴを決める。ＰＤＣＣＨチャンネル予測部１２０は、ＰＤＣＣＨ転送のための制御情報を構成し、ＰＤＣＣＨ転送のためのチャンネルのリンク品質を予測する。ＰＤＣＣＨ ＣＣ ＳＥＴ選択部１３０は、ＤＬ ＣＣ ＳＥＴにおいて制御情報を転送するためのＰＤＣＣＨ ＣＣ ＳＥＴを選択する。ＰＤＣＣＨ送信部１４０は、ＰＤＣＣＨ ＣＣ ＳＥＴを介して制御情報を転送する。
【００３０】
そして、本実施形態における端末２００は、受信部２１０と、チャンネル測定部２２０及び送信部（図示せず）を備える。受信部２１０は、ＤＬ ＣＣ ＳＥＴを介して基地局１００の信号を受信する。チャンネル測定部２２０は、ＤＬ ＣＣ ＳＥＴ及び非ＤＬ ＣＣ ＳＥＴのチャンネル状態、すなわち、リンク品質を測定する。送信部は、リンク品質を含む情報を基地局１００に報告する。例えば、基地局１００は、合計４つ（ｆ１、ｆ２、ｆ３、ｆ４）のＣＣを介して多数の端末２００と通信を行っていてもよい。そして、基地局１００と当該端末２００は、これらのうち二つのＣＣ（ｆ１、ｆ２）をＤＬ ＣＣ ＳＥＴに活性化させ、これらの二つのＣＣ（ｆ１、ｆ２）のみを用いて通信を行っていてもよい。このため、ｆ３及びｆ４は、非ＤＬ ＣＣ ＳＥＴに類分される。
【００３１】
すなわち、端末２００から「付加的なチャンネル測定情報（Ａｄｄｉｔｉｏｎａｌｃｈａｎｎｅｌ ｍｅａｓｕｒｅｍｅｎｔ）」あるいは好みのＣＣ ＳＥＴの報告を受けた基地局１００は、これを参照してＤＬ ＣＣ ＳＥＴを決め、当該ＤＬ ＣＣ ＳＥＴのうちＰＤＣＣＨの転送のために用いられるＰＤＣＣＨ ＣＣ ＳＥＴを決める。次いで、基地局１００は、決められたＰＤＣＣＨ ＣＣ ＳＥＴを介してＤＬ ＣＣ ＳＥＴの資源割り当て制御情報を転送する。例えば、図２に示すように、基地局１００がｆ１をＰＤＣＣＨ ＣＣ ＳＥＴとして選択して、ｆ１のＰＤＣＣＨを介してｆ１及びｆ２の資源割り当て制御情報を転送してもよい。あるいは、図２に示すように、基地局１００がｆ２をＰＤＣＣＨ ＣＣ ＳＥＴとして選択して、ｆ２のＰＤＣＣＨを介してｆ１及びｆ２の資源割り当て制御情報を転送してもよい。
【００３２】
より具体的に、端末２００は、各ＣＣ別のＣＱ Ｂと次の付加的なチャンネル測定情報に対する測定を行い、特定の条件が満たされるか、あるいは、一定の周期が到来したときに全体あるいは一部を基地局１００に報告する。ここで、付加的なチャンネル測定情報は、下記の通りである。
付加情報１−１）ＤＬ ＣＣ ＳＥＴに相当するＣＣのＰＤＣＣＨ資源領域に対するリンク品質（ＣＱ Ａ）
付加情報１−２）非ＤＬ ＣＣ ＳＥＴに相当するＣＣのＣＱ Ｂ
付加情報１−３）非ＤＬ ＣＣ ＳＥＴに相当するＣＣのＣＱ Ａ
【００３３】
このとき、端末２００が付加情報１−１を転送する条件は種々ある。第一に、端末２００は、各ＣＣ別に特定の周期をもってＣＱ Ａを報告する。第二に、ＤＬ ＣＣ ＳＥＴに相当するＣＣのＣＱ ＡとＣＱ Ｂを測定してこれをモニターリングし、特定のＣＣのＣＱ ＡとＣＱ Ｂとの差分が第１のしきい値ＴＨ１以上になるか、あるいは、それ以上になってから他のしきい値ＴＨ１＿２以下に下がった場合に、端末２００がＣＱ Ａを報告する。ここで、端末２００は、ＴＨ１とＴＨ１＿２を同じ値に設定してもよい。また、このようなしきい値を上回ったり下回る場合の報告のために、基地局１００または端末２００が報告をするしきい値を前もって定め、この条件を満たす限り、端末２００が報告するようにしてもよい。第三に、ＣＱ ＡとＣＱ Ｂとの差分が、最後に報告した値よりも第２のしきい値ＴＨ２以上の差分が出る場合に、端末２００がＣＱ Ａを報告する。第四に、ＣＱ Ａが第３のしきい値ＴＨ３以下に下がる場合、または、第４のしきい値ＴＨ４以上に上がる場合に、端末２００がＣＱ Ａを報告する。第五に、ＣＱ Ａを転送した後にＴ０以上の時間が経過した場合に、端末２００がＣＱ Ａを報告する。
【００３４】
一方、端末２００が付加情報１−２と１−３（非ＤＬ ＣＣ ＳＥＴに相当するＣＣのＣＱ Ｂ、ＣＱ Ａ）を転送する条件の例は、下記式１の通りである。
【００３５】
【数１】
0005851486.tif 000002
【００３６】
図４は、本発明の実施形態に係るリンク品質報告の手順を示す図である。以下では、端末における非ＤＬ ＣＣ ＳＥＴのリンク品質転送の手順を示している。
【００３７】
図４を参照すると、端末２００は、ステップ４１１において、ＤＬ ＣＣ ＳＥＴ及び非ＤＬ ＣＣ ＳＥＴのリンク品質、すなわち、それぞれのＣＱ ＡとＣＱ Ｂを測定してこれらを互いに比較する。すなわち、端末２００は、非ＤＬ ＣＣ ＳＥＴに相当するＣＣのうち特定のＣＣのＣＱ Ｂが、ＤＬ ＣＣ ＳＥＴのＣＣのうち最もリンク品質が悪いＣＣのＣＱ Ｂとマージン１の和を超えるか否かを判断する。ここで、本発明は、マージン１が０である場合を含む。このとき、ステップ４１１において、超えていないと判断されれば、端末２００は、ステップ４１３においてタイマーをリセットした後、ステップ４１１を再び行うことができる。そして、ステップ４１１において、超えると判断されれば、端末２００は、ステップ４１５においてタイマーを更新する。
【００３８】
ステップ４１７において、タイマーの既定の時間ＴＴ１が経過していない場合、ステップ４１１に戻る。タイマーが特定の時間ＴＴ１中に持続されると、端末２００がステップ４１７においてこれを感知し、ステップ４１９において当該ＣＣのＣＱ ＡとＣＱ Ｂとの差分を算出して第１のしきい値ＴＨ１と比較する。ここで、本発明は、ＴＴ１が一つのサブフレームである場合を含む。このとき、端末２００は、当該ＣＣのＣＱ ＡとＣＱ Ｂとの差分が第１のしきい値ＴＨ１を超えているか否かを判断する。そして、ステップ４１９において、超えていないと判断されれば、端末２００は、ステップ４２１において当該ＣＣのＣＱ Ｂを基地局１００に転送する。次いで、手順は終了する。または、ステップ４１９において、超えていると判断されれば、端末２００は、ステップ４２３において当該ＣＣのＣＱ ＡとＣＱ Ｂを両方とも基地局１００に報告する。次いで、手順は終了する。
【００３９】
図５は、本発明の実施形態に係る付加的なチャンネル測定情報の構造を示す図である。   
【００４０】
図５を参照すると、端末２００において付加情報を転送するためのメッセージフォーマットは、報告しようとするＣＣのＩＤと、報告タイプ、すなわち、ＤＬ ＣＣ ＳＥＴのＣＱ Ａ、非ＤＬ ＣＣ ＳＥＴのＣＱ Ｂ或いは非ＤＬ ＣＣ ＳＥＴのＣＱ ＡとＣＱ Ｂを区分するための情報と、当該ＣＱ情報、すなわち、実質的なＤＬ ＣＣ ＳＥＴのＣＱ Ａ、非ＤＬ ＣＣ ＳＥＴのＣＱ Ｂ或いは非ＤＬ ＣＣ ＳＥＴのＣＱ Ａ及びＣＱ Ｂと、から構成される。
【００４１】
このとき、前記付加情報を転送するための資源割り当て方法としては、下記の方法が挙げられる。第一に、当該端末２００が上りリンクにデータ転送するときに当該報告をデータチャンネルにピギーバックして転送する方法。第二に、前記報告すべきイベントが発生する度に、端末２００が基地局１００に逆方向の資源を割り当てることをリクエストして非周期的に報告する方法。この場合、基地局１００から逆方向の転送許可を受ける必要があり得る。
【００４２】
併せて、本発明において、基地局１００が端末２００から前記フィードバック情報を受信し、これを用いてＭ個のＤＬ ＣＣ ＳＥＴを選択し、これらのうちアンカーＣＣとＫ個のＰＤＣＣＨ ＣＣ ＳＥＴを選択する。このために、基地局１００は、最近に受信されたＣＣのＣＱ Ｂを用いてリンク品質に優れた順位に従ってＭ個のＣＣを選択してこれをＤＬ ＣＣ ＳＥＴとして決める。このとき、既存とは異なるＤＬ ＣＣ ＳＥＴが決められた場合、基地局１００はこれを更新して、更新されたＤＬ ＣＣ ＳＥＴを端末２００に報知する。
【００４３】
また、ＰＤＣＣＨ ＣＣ ＳＥＴを決めるために、基地局１００が前記過程において決められたＤＬ ＣＣ ＳＥＴのＣＣ別のＰＤＣＣＨリンク品質を予測する過程が必要となる。もし、特定の時間ＴＴ２以内に端末２００からＣＱ Ａを受信された場合に、基地局１００はＣＱ ＡをＰＤＣＣＨリンク品質としてみなし、その他の場合にはＣＱ Ｂ±マージン２にしてＰＤＣＣＨリンク品質を決める。そして、ＰＤＣＣＨ ＣＣ ＳＥＴを決めるために、基地局１００は、ＰＤＣＣＨリンク品質に優れた順位に従ってＫ個のＣＣを選択して、これをＰＤＣＣＨ ＣＣ ＳＥＴとして決める。また、基地局１００は、次の方法の一つを用いて制御情報を転送する。第一に、基地局１００が選択されたＰＤＣＣＨＣＣを端末２００に予め報知せず、当該ＰＤＣＣＨＣＣを介してＤＬ ＣＣ ＳＥＴに相当する任意のＣＣの資源割り当て情報を転送する。第二に、基地局１００が選択されたＰＤＣＣＨＣＣを端末２００に予め報知し、当該ＰＤＣＣＨＣＣを介してＤＬ ＣＣ ＳＥＴに相当する任意のＣＣの資源割り当て情報を転送する。第三に、基地局１００がＤＬ ＣＣ ＳＥＴに相当するそれぞれのＣＣに対して一つのＰＤＣＣＨＣＣとリンクをした後、このようなリンク情報を端末２００に報知する。そして、基地局１００は、特定のＣＣのＰＤＳＣＨ資源割り当て情報をリンクされたＰＤＣＣＨＣＣのＰＤＣＣＨを介して転送する。
【００４４】
図６は、本発明の実施形態に係る適応的なキャリア選択の手順を示す。すなわち、基地局におけるＤＬ ＣＣ ＳＥＴとＰＤＣＣＨ ＣＣ ＳＥＴの決定及び報知の手順を示している。このとき、本実施形態において、基地局１００がＰＤＣＣＨＣＣとＤＬ ＣＣ ＳＥＴのリンク情報を端末２００に報知する場合を想定して説明する。そして、本実施形態において、基地局１００がＤＬ ＣＣ ＳＥＴとＰＤＣＣＨ ＣＣ ＳＥＴを両方とも選択する場合を示しているが、本発明はこれに限定されるものではない。すなわち、基地局１００が前記方法により二者選一する場合も本発明に含まれ得る。
【００４５】
図６を参照すると、基地局１００は、ステップ６１１において、端末１００からリンク品質情報を受信する。このとき、リンク品質情報は、ＤＬ ＣＣ ＳＥＴのＣＱ Ａ、ＤＬ ＣＣ ＳＥＴのＣＱ Ｂ、非ＤＬ ＣＣ ＳＥＴのＣＱ Ａまたは非ＤＬ ＣＣ ＳＥＴのＣＱ Ｂのうちの少なくともいずれか一つを含む。次いで、基地局１００は、ステップ６１３において、リンク品質情報を参照して新たなＤＬ ＣＣ ＳＥＴを決める。そして、基地局１００は、ステップ６１５において、新たなＤＬ ＣＣ ＳＥＴが既存のＤＬ ＣＣ ＳＥＴと異なるか否かを判断する。すなわち、基地局１００は、ＤＬ ＣＣ ＳＥＴが変更されたか否かを判断する。このとき、ＤＬ ＣＣ ＳＥＴが変更されたと判断されれば、基地局１００は、ステップ６１７において、新たなＤＬ ＣＣ ＳＥＴを更新し、これを端末２００に報知する。
【００４６】
次いで、ステップ６１５において、ＤＬ ＣＣ ＳＥＴが変更されていないと判断されるか、あるいは、ステップ６１７において、ＤＬ ＣＣ ＳＥＴを端末２００に報知した後、基地局１００は、ステップ６１９において、ＤＬ ＣＣ ＳＥＴのＣＣ別のＰＤＣＣＨリンク品質を予測する。次いで、基地局１００は、ステップ６２１において、ＰＤＣＣＨリンク品質を参照して新たなＰＤＣＣＨ ＣＣ ＳＥＴを選択する。そして、基地局１００は、ステップ６２３において、新たなＰＤＣＣＨ ＣＣ ＳＥＴが既存のＰＤＣＣＨ ＣＣ ＳＥＴと異なるか否かを判断する。すなわち、基地局１００は、ＰＤＣＣＨ ＣＣ ＳＥＴが変更されたか否かを判断する。このとき、ＰＤＣＣＨ ＣＣ ＳＥＴが変更されたと判断されれば、基地局１００は、ステップ６２５において、ＰＤＣＣＨとＰＤＳＣＨとの間の新たなリンクを決める。なお、基地局１００は、ステップ６２７において、新たなリンクを更新し、これを端末２００に報知する。本発明によれば、多重キャリアシステムのキャリア当たりの転送効率を改善し、制御情報の受信不可によるシステムの非正常的な動作を抑えるという効果がある。
【００４７】
一方、本発明が特定の実施形態とその参照符号により説明され且つ開示されているが、本発明が属する技術分野における通常の知識を持つ者は、本発明の実施形態の説明が添付の特許請求の範囲及びその均等物によって定義される本発明の範囲及び意味を逸脱することなく種々の変形例が可能であるということが理解できるであろう。
【符号の説明】
【００４８】
１００  基地局
１１０  ＤＬ ＣＣ ＳＥＴ決定部
１２０  ＰＤＣＣＨチャンネル予測部
１３０  ＰＤＣＣＨ ＣＣ ＳＥＴ選択部
１４０  ＰＤＣＣＨ送信部
２００  端末
２１０  受信部
２２０  チャンネル測定部
【図１】
0005851486.tif 000003
【図２】
0005851486.tif 000004
【図３】
0005851486.tif 000005
【図４】
0005851486.tif 000006
【図５】
0005851486.tif 000007
【図６】
0005851486.tif 000008